(57)【要約】      （修正有）【課題】容器本体の側面を打撃するパーツを備えることにより、発泡飲料の泡立ちが良くなり、かつ持ち易くした発泡飲料容器を提供する。【解決手段】発泡飲料容器は、発泡飲料を収容するための容器本体１１０を有する容器と、容器本体１１０の底部側面に対して離接可能となるように容器に取り付けられ、ばね２８０の付勢力によって容器本体１１０の底部側面を横から打撃する打撃パーツ２６０と、打撃パーツ２６０に連係され、ばね２８０の付勢力に抗して打撃パーツ２６０を容器本体１１０の底部側面から離間する方向に人為的に動作させる操作レバー２１０と、を備えている。これによって、泡立ちが良く、比較的に持ち易い発泡飲料容器が実現できる。【選択図】図３
0003174854.tif 000002
【実用新案登録請求の範囲】
【請求項１】
発泡飲料を収容するための容器本体を有する容器と、
前記容器本体の底部側面に対して離接可能となるように前記容器に取り付けられ、付勢手段の付勢力によって前記容器本体の底部側面を横から打撃する打撃パーツと、
前記打撃パーツに連係され、前記付勢手段の付勢力に抗して前記打撃パーツを前記容器本体の底部側面から離間する方向に人為的に動作させる操作部材と、
を備えることを特徴とする発泡飲料容器。
【請求項２】
前記容器には取っ手が付設され、前記取っ手の内部には前記打撃パーツが設けられ、前記取っ手には前記操作部材が設けられていることを特徴とする請求項１に記載の発泡飲料容器。
【請求項３】
前記操作部材は、前記取っ手の外側で、且つ、前記取っ手を握ったままの状態で親指で操作可能な位置に設けられていることを特徴とする請求項２に記載の発泡飲料容器。
【請求項４】
前記取っ手の内部には、前記操作部材と前記打撃パーツを連係させる連係機構が設けられていることを特徴とする請求項３に記載の発泡飲料容器。
【請求項５】
前記操作部材の操作部は、水平な軸を中心に前記取っ手の上方で上下方向に動作可能に構成され、
前記連係機構は、
前記操作部を下方に操作した際に途中まで前記操作部材と前記打撃パーツとを連係させて、前記付勢手段の付勢力に抗して前記打撃パーツを前記容器本体の底部側面から離間する方向に動作させ、
前記操作部をさらに下方に操作した際に前記操作部材と前記打撃パーツとの連係を解除させて、前記打撃パーツによって前記容器本体の底部側面を横から打撃させるように構成されている、ことを特徴とする請求項４に記載の発泡飲料容器。
【請求項６】
前記容器には、前記容器の外壁と前記容器本体の底部側面との間に、前記打撃パーツの動作空間を構成する隙間が形成されていることを特徴とする請求項１から５いずれか一項に記載の発泡飲料容器。
【請求項７】
前記容器本体は、上側本体と、平面視でこの上側本体の底部よりも小さく且つ平面視で当該上側本体の底部の内側に収まる下側本体とを連通させて構成されていることを特徴とする請求項６に記載の発泡飲料容器。
【請求項８】
前記上側本体の中心と前記下側本体の中心とを前記打撃パーツの打撃方向にずらして配置されていることを特徴とする請求項７に記載の発泡飲料容器。
【請求項９】
前記容器本体の底と周壁との境界部には溝又は段部が形成されていることを特徴とする請求項１から８いずれか一項に記載の発泡飲料容器。
【請求項１０】
前記容器本体の底の下面は、前記容器の底よりも浮き上がっていることを特徴とする請求項１から９いずれか記載の発泡飲料容器。
【考案の詳細な説明】
【技術分野】
【０００１】
本考案は発泡飲料容器に関するものである。
【背景技術】
【０００２】
従来、有底円筒状の容器本体と、この容器本体から張り出した取っ手と、この取っ手の内側に設けられた弾性変形自在な打撃パーツとを有する発泡飲料容器が知られている（例えば、特許文献１参照）。
この発泡飲料容器は、片手で取っ手を握りつつ、この取っ手の内側にある打撃パーツを人差し指で操作することによって、容器本体を打撃パーツにて打撃するように構成されている。
【先行技術文献】
【特許文献】
【０００３】
【特許文献１】実公平３−１１１５３号公報
【考案の概要】
【考案が解決しようとする課題】
【０００４】
しかしながら、上記特許文献１記載の発泡飲料容器では、取っ手の内側で打撃パーツを操作し、この打撃パーツで容器本体の上下方向中程を打撃するため、打撃による衝撃が、容器本体の底に伝わりにくく、泡立ちが悪いという問題がある。
また、上記特許文献１記載の発泡飲料容器では、取っ手の内側に存在する打撃パーツが邪魔になるため、容器を持ちにくいという問題がある。
【０００５】
本考案は、かかる問題点に鑑みなされたもので、泡立ちが良く、比較的に持ち易い発泡飲料容器を提供することを目的とする。
【課題を解決するための手段】
【０００６】
請求項１に係る考案は、
発泡飲料を収容するための容器本体を有する容器と、
前記容器本体の底部側面に対して離接可能となるように前記容器に取り付けられ、付勢手段の付勢力によって前記容器本体の底部側面を横から打撃する打撃パーツと、
前記打撃パーツに連係され、前記付勢手段の付勢力に抗して前記打撃パーツを前記容器本体の底部側面から離間する方向に人為的に動作させる操作部材と、
を備えることを特徴とする発泡飲料容器である。
【０００７】
請求項２に係る考案は、請求項１に記載の発泡飲料容器において、前記容器には取っ手が付設され、前記取っ手の内部には前記打撃パーツが設けられ、前記取っ手には前記操作部材が設けられていることを特徴とする。
【０００８】
請求項３に係る考案は、請求項２に記載の発泡飲料容器において、前記操作部材は、前記取っ手の外側で、且つ、前記取っ手を握ったままの状態で親指で操作可能な位置に設けられていることを特徴とする。
【０００９】
請求項４に係る考案は、請求項３に記載の発泡飲料容器において、前記取っ手の内部には、前記操作部材と前記打撃パーツを連係させる連係機構が設けられていることを特徴とする。
【００１０】
請求項５に係る考案は、請求項４に記載の発泡飲料容器において、
前記操作部材の操作部は、水平な軸を中心に前記取っ手の上方で上下方向に動作可能に構成され、
前記連係機構は、
前記操作部を下方に操作した際に途中まで前記操作部材と前記打撃パーツとを連係させて、前記付勢手段の付勢力に抗して前記打撃パーツを前記容器本体の底部側面から離間する方向に動作させ、
前記操作部をさらに下方に操作した際に前記操作部材と前記打撃パーツとの連係を解除させて、前記打撃パーツによって前記容器本体の底部側面を横から打撃させるように構成されている、ことを特徴とする。
【００１１】
請求項６に係る考案は、請求項１から５いずれか一項に記載の発泡飲料容器において、前記容器には、前記容器の外壁と前記容器本体の底部側面との間に、前記打撃パーツの動作空間を構成する隙間が形成されていることを特徴とする。
【００１２】
請求項７に係る考案は、請求項６に記載の発泡飲料容器において、前記容器本体は、上側本体と、平面視でこの上側本体の底部よりも小さく且つ平面視で当該上側本体の底部の内側に収まる下側本体とを連通させて構成されていることを特徴とする。
【００１３】
請求項８に係る考案は、請求項７に記載の発泡飲料容器において、前記上側本体の中心と前記下側本体の中心とを前記打撃パーツの打撃方向にずらして配置されていることを特徴とする。
【００１４】
請求項９に係る考案は、請求項１から８いずれか一項に記載の発泡飲料容器において、前記容器本体の底と周壁との境界部には溝又は段部が形成されていることを特徴とする。
【００１５】
請求項１０に係る考案は、請求項１から９いずれか記載の発泡飲料容器において、前記容器本体の底の下面は、前記容器の底よりも浮き上がっていることを特徴とする。
【考案の効果】
【００１６】
請求項１の考案によれば、打撃パーツによって容器本体の底部側面を横から打撃するため、気泡が発生しやすい容器本体の底に衝撃が伝わり易く、泡立ちが良いものとなる。
また、請求項１の考案によれば、打撃パーツによって容器本体の底部側面を横から打撃するため、容器を持つ際に打撃パーツが邪魔にならない。
【００１７】
請求項２の考案によれば、打撃パーツは取っ手の内部に設けられているため、打撃パーツが取っ手の外方にはみ出すことがなく、全体として見栄えが良いものとなる。
【００１８】
請求項３の考案によれば、取っ手を握ったままの状態で親指で操作部材を操作できるため、操作性の良い発泡飲料容器が実現できる。
【００１９】
請求項４の考案によれば、操作部材と打撃パーツとを連係させる連係機構が取っ手の内部に設けられているため、全体として見栄えが良いものとなる。
【００２０】
請求項５の考案によれば、操作部を下方に操作するだけで、操作部材と打撃パーツとの連係及び連係解除が行われるので、操作性に優れた発泡飲料容器が実現できる。
【００２１】
請求項６から８の考案によれば、容器には、当該容器の外壁と容器本体の底部側面との間に、打撃パーツの動作空間を構成する隙間が形成されているので、打撃パーツを容器からあまり突出させることなく、打撃パーツの動作ストロークを大きくすることができる。
【００２２】
請求項９の考案によれば、容器本体の底と周壁との境界部には溝又は段部が形成されているので、打撃パーツで打撃した際に、溝又は段部の箇所で効果的に発泡させることができる。
【００２３】
請求項１０の考案によれば、容器本体の底の下面は、容器の底よりも浮き上がっているので、打撃パーツで容器本体の底部側面を打撃した際に、発泡飲料容器を置いたテーブルによって衝撃が吸収されることが少なくなることから、衝撃が容器本体の底に効果的に伝わり、効果的に発泡させることができる。
【図面の簡単な説明】
【００２４】
【図１】本考案の第１の実施形態に係る発泡飲料容器の側面図である。
【図２】図１の発泡飲料容器の平面図である。
【図３】図１の発泡飲料容器の縦断面図である。
【図４】図１の発泡飲料容器の動作を説明するための図であり、（Ａ）は初期状態を示す断面図、（Ｂ）は操作部を押し下げ始めた状態を示す断面図、（Ｃ）は操作部を押し下げた際に連係部材の爪が固定部に当接した状態を示す断面図、（Ｄ）は操作部を押し下げた際に連係部材が回転し始めた状態を示す断面図である。
【図５】図１の発泡飲料容器の動作を説明するための図であり、（Ａ）は連係部材の爪が固定部から外れて打撃パーツが容器本体の方向に動作し始めた状態を示す断面図、（Ｂ）は打撃パーツが容器本体の底部を打撃している状態を示す断面図、（Ｃ）は親指を操作部から離した直後の状態を示す断面図、（Ｄ）は操作部が初期状態に復帰した状態を示す断面図である。
【図６】本考案の第２の実施形態に係る発泡飲料容器の動作を説明するための図であり、（Ａ）は初期状態を示す断面図、（Ｂ）は操作部を押し下げた際に連係部材の爪が固定部に当接した状態を示す断面図、（Ｃ）は打撃パーツが容器本体の底部を打撃している状態を示す断面図である。
【図７】本考案の容器本体の変形例を示す図である。
【図８】本考案の容器本体の他の変形例を示す図である。
【図９】本考案の発泡飲料容器の変形例を示す側面側の断面図である。
【図１０】本考案の発泡飲料容器の他の変形例を示す側面側の断面図である。
【図１１】本考案の発泡飲料容器のさらに他の変形例を示す底面図である。
【考案を実施するための形態】
【００２５】
以下、本考案に係る発泡飲料容器を図面に示した実施の形態に基づいて説明する。
【００２６】
［第１の実施形態］
図１は第１の実施形態の発泡飲料容器の側面図、図２は図１の発泡飲料容器の平面図、図３は図１の発泡飲料容器の縦断面図である。
この発泡飲料容器１は容器１０及び取っ手５０を備えている。
容器１０は、プラスチック製であり、発泡飲料を収容する部分である容器本体１１０と、この容器本体１１０を支持する基台１２０とから構成されている（図３参照）。
このうち容器本体１１０は、有底円筒状の大容量の上側本体１１１と、この上側本体１１１の下側に連設され且つ有底円筒状の小容量の下側本体１１２とを連通させて構成されている。
すなわち、上側本体１１１の底１１１ａは偏心位置で円形に開口し、この開口１１１ｂを上端開口とするように、上側本体１１１に下側本体１１２が連設されている。符号１１２ａは下側本体１１２の底を示している。
基台１２０は円筒状に形成されている。この基台１２０は、上側本体１１１と同径の円筒形で且つ当該上側本体１１１と同心的に配置され、下側本体１１２の外周を取り囲んでいる。そして、容器本体１１０と基台１２０との間には隙間が形成されている。なお、この基台１２０によって外周を取り囲まれた下側本体１１２の底１１２ａはテーブル面から離間した位置に存在している。
【００２７】
取っ手５０は、プラスチック製であり、片手で握持可能な形状のグリップ５１０と、このグリップ５１０と容器１０とに架け渡された上側ブリッジ５１１及び下側ブリッジ５１２とから構成されている。
このうちグリップ５１０は鉛直方向に延び、下端部の外側が下方に行くに連れて容器１０から離間するように傾斜した形状となっている。
一方、上側ブリッジ５１１はグリップ５１０の上部に連設され、下側ブリッジ５１２はグリップ５１０の下部に連設されている。この上側ブリッジ５１１及び下側ブリッジ５１２は水平方向に延び、グリップ５１０と容器１０との間に指を挿入するための隙間を形成している。
この取っ手５０には打撃装置２０が設けられている。
【００２８】
打撃装置２０は、操作部材である操作レバー２１０、上側スライダー２２０、連係部材２３０、下側スライダー２４０、てこ部材２５０及び打撃パーツ２６０を備えている。なお、この打撃装置２０を構成する部品のうち操作レバー２１０及び打撃パーツ２６０を除く部品は、操作レバー２１０と打撃パーツ２６０とを連係させる連係機構を構成している。
このうち操作レバー２１０は、支点、作用点及び力点が容器１０側からこの順に並んだてこを構成している。
すなわち、操作レバー２１０は、容器１０側の端部が水平な軸２１１を介して支持され、この軸２１１を中心に回動可能に構成されている。また、操作レバー２１０はグリップ５１０側の端部が操作部２１２となっており、この操作部２１２はグリップ２１０から上方に突出している。さらに、操作レバー２１０は操作部２１２と軸２１１との間で上側スライダー２２０の上端に当接している。
上側スライダー２２０は、上下動可能となるようにグリップ５１０内に設けられている。この上側スライダー２２０の下端部には連係部材２３０の上端部が水平な軸２３１を介して支持されている。これによって、連係部材２３０は軸２３１を中心に回動可能に構成されている。
また、連係部材２３０の上端にはばね掛け部２３２が設けられており、このばね掛け部２３２とグリップ５１０内の固定部５１１との間にばね２７０が掛けられている。このばね２７０は、連係部材２３０及び上側スライダー２２０を上方に付勢し、上側スライダー２２０の上端を操作レバー２１０に当接させる働きをする。また、このばね２７０は、連係部材２３０の下端を下側スライダー２４０に当接させ、上側スライダー２２０と下側スライダー２４０とを連係させる働きをする。
また、連係部材２３０には軸２３１の近傍に爪２３３が設けられている。この爪２３３は、連係部材２３０が上側スライダー２２０と共に下降した際に、グリップ５１０の固定部５１３に突き当たった後、さらに、連係部材２３０が上側スライダー２２０と共に下降すると、固定部５１３によって下降を制止させられ、軸２３１を中心に連係部材２３０を所定方向に回転させる働きをする。これによって、上側スライダー２２０と下側スライダー２４０との連係が解除される。
なお、図３において符号５１２はグリップ５１０の固定部を示し、連係部材２３０が上側スライダー２２０と共に上昇した際に、連係部材２３０の爪２３３が突き当たり、この連係部材２３０を初期姿勢に戻す働きをする。
【００２９】
下側スライダー２４０は、上側スライダー２２０の下方で上下動可能となるようにグリップ５１０内に設けられている。この下側スライダー２４０の下端は、てこ部材２５０の一方のアーム２５１に当接している。
てこ部材２５０は水平な軸２５２を介してグリップ５１０の固定部（図示せず）に支持されている。このてこ部材２５０の他方のアーム２５３には打撃パーツ２６０の後端部が軸２６１を介して支持されている。
打撃パーツ２６０は棒状に構成され、てこ部材２５０が軸２５２を中心に回動することによって、下側本体１１２に対して接離可能に構成されている。この打撃パーツ２６０の先端部にはばね掛け部２６２が設けられており、このばね掛け部２６２とグリップ５１０内の固定部５１４との間にはばね２８０が掛けられている。このばね２８０は、打撃パーツ２６０を打撃方向に付勢すると共に、てこ部材２５０を介して下側スライダー２４０を上方に付勢する働きをする。
【００３０】
なお、下側本体１１２は上側本体１１１の中心に対してグリップ５１０から離間する方向に偏心して配置されている。このように構成したのは、打撃パーツ２６０の動作行程（動作ストローク）を大きくするためである。ただし、容器１０の外壁（基台１２０）と容器本体１１０の底部側面との間に、打撃パーツ２６０の動作空間を構成する隙間が形成され、十分な動作行程（動作ストローク）を確保できるのであれば、下側本体１１２を上側本体１１１に対して偏心させなくてもよい。
【００３１】
次に、発泡飲料容器１の打撃装置２０の動作の一例を説明する。
図４（Ａ）は発泡飲料容器の初期状態を示している。この状態から容器本体１１０にビール等の発泡飲料を注いだ後、グリップ５１０を人差し指、中指、薬指及び小指で握る。そして、図４（Ｂ）に示すように、操作レバー２１０の操作部２１２に親指を上から当てて下方に押し下げる。すると、操作レバー２１０が軸２１１を中心に回転し、この操作レバー２１０によって上側スライダー２２０が下方に押し下げられる。
このとき、ばね２７０の働きによって、連係部材２３０の下端が下側スライダー２４０に当接されているので、上側スライダー２２０と下側スライダー２４０とが連係された状態にあり、下側スライダー２４０も下方に押し下げられる。これによって、てこ部材２５０が軸２５２を中心に図上で時計方向に回転することによって、打撃パーツ２６０が下側本体１１２に対して離間する。
【００３２】
さらに、親指で操作部２１２を下方に押し下げると、連係部材２２０の爪２３３がグリップ５１０の固定部５１３に突き当たり、固定部５１３によって下降を制止させられ（図４（Ｃ））、その後、軸２３１を中心に連係部材２３０が図上で時計方向に回転する。これによって、上側スライダー２２０と下側スライダー２４０との連係が解除される（図４（Ｄ））。すると、ばね２８０の作用によって、てこ部材２５０が軸２５２を中心に図上で反時計方向に回転し（図５（Ａ））、下側スライダー２２０が上方に押し上げられると共に、打撃パーツ２６０が下側本体１１２の底部側面を横方向から打撃する（図５（Ｂ））。
その後、ユーザーが操作レバー２１０の操作部２１２から親指を離すと、ばね２７０の働きによって、連係部材２３０及び上側スライダー２２０が上昇し始め（図５（Ｃ））、上側スライダー２２０の上端が操作レバー２１０を軸２１１を中心に図上で時計方向に回転させると共に、連係部材２３０の爪２３３が固定部５１２に突き当たることによって、連係部材２３０の下端を下側スライダー２４０に当接させ、上側スライダー２２０と下側スライダー２４０とを連係させる（図５（Ｄ））。
【００３３】
このように構成された発泡飲料容器１によれば次のような効果が得られる。
すなわち、容器本体１１０の底部側面を横方向から打撃するため、その打撃力が底１１２ａと周壁との境界部分に効率的に伝達され、効果的に発泡を行わせることができる。
また、下側本体１１２の底部側面を横方向から打撃するため、必要以上に容器本体１１０の底１１２ａをテーブル面から浮かせる必要がなくなる。
さらに、取っ手５０内に打撃パーツ２１０を設けるため、打撃パーツ２１０が取っ手５０の外方に露出しないので、見栄えもよいものとなる。
また、グリップ５１０を人差し指、中指、薬指及び小指で握ったまま、操作レバー２１０の操作部２１２に親指を上から当てて下方に押し下げることで、打撃装置２０を動作させることができるので、操作性が良いものとなる。
【００３４】
［第２の実施形態］
図６は、第２の実施形態の発泡飲料容器を示している。
この第２の実施形態の発泡飲料容器１Ａは、上記ばね２７０に代えて、上側スライダー２２０のばね掛け部２２１Ａとグリップ５１０内の固定部５１１Ａとの間に掛けられたばね２７０Ａを有する点、連係部材２３０の軸２３１に掛けられたねじりコイルばね２７０Ｂを有する点で、第１の実施形態の発泡飲料容器１と異なっている。なお、ねじりコイルばね２７０Ｂに代えて、板ばねを設けてもよい。
【００３５】
この第２の実施形態の発泡飲料容器１Ａのばね２７０Ａは、連係部材２３０及び上側スライダー２２０を上方に付勢し、上側スライダー２２０の上端を操作レバー２１０に当接させる働きをする。
一方、ねじりコイルばね２７０Ｂは、連係部材２３０及び上側スライダー２２０が上昇位置にあるとき、ねじりコイルばね２７０Ｂの一端部がグリップ５１０内の固定部５１３Ａに当接され、連係部材２３０の下端を下側スライダー２４０に当接させ、上側スライダー２２０と下側スライダー２４０とを連係させる働きをする（図６（Ａ））。また、このねじりコイルばね２７０Ｂは、連係部材２３０及び上側スライダー２２０が下降したとき、ねじりコイルばね２７０Ｂの一端部がグリップ５１０内の固定部５１３Ａから外れ、連係部材２３０を軸２３１を中心に回動可能な状態とする働きをする（図６（Ｂ））。この状態で、この爪２３３がグリップ５１０の固定部５１３Ａに突き当たり、さらに、連係部材２３０が上側スライダー２２０と共に下降すると、固定部５１３Ａによって下降を制止させられ、軸２３１を中心に連係部材２３０が図上で時計方向に回転し、上側スライダー２２０と下側スライダー２４０との連係が解除される。これによって、打撃パーツ２６０が下側本体１１２の底部側面を横方向から打撃する（図６（Ｃ））。
【００３６】
なお、この第２の実施形態の発泡飲料容器１Ａでは、図６（Ｃ）の状態からユーザーが操作レバー２１０の操作部２１２から親指を離し、ばね２７０Ａの働きによって、連係部材２３０及び上側スライダー２２０が上方に押し上げられると、上側スライダー２２０の上端が操作レバー２１０を軸２１１を中心に図上で時計方向に回転させると共に、ねじりコイルばね２７０Ｂの一端部がグリップ５１０内の固定部５１３Ａに当接することで連係部材２３０の下端を下側スライダー２４０に当接させ、上側スライダー２２０と下側スライダー２４０とを連係させる。
【００３７】
このように構成された発泡飲料容器１Ａによっても第１の実施形態の発泡飲料容器１と同様の効果を得ることができる。
【００３８】
［本考案の変形例］
以上、本考案の実施形態について説明したが、本考案は、上記実施形態には限定されず、その要旨を逸脱しない範囲で、種々変形が可能である。
例えば、図７に示すように、発泡飲料容器の容器本体１１０の底の外周部に段部１１５を形成してもよい。この段部１１５を形成することで、泡の核となる空気が付着しやすくなり、より発泡効果が高まる。なお、この場合の段部１１５は外周部全体に亘って形成されていても、部分的に形成されていてもよい。
また、図８に示すように、容器本体１１０の底の外周部に溝１１６を形成してもよい。この溝１１６を形成することで、泡の核となる空気が付着しやすくなり、より発泡効果が高まる。なお、この場合の溝１１６は外周部全体に亘って形成されていても、部分的に形成されていてもよい。
さらに、図９に示すように、取っ手５０Ａを半円弧状に構成し、この中に弧状の打撃パーツ２６０Ａを設置すると共に、ばね２８０Ａによって、この打撃パーツ２６０Ａを容器本体１１０の底部側面に向けて付勢しておき、取っ手５０Ａから突出する操作部２１０Ａをばね２８０Ａの付勢力に抗して操作した後に、操作部２１０Ａから手を離すことによって、打撃パーツ２６０Ａで容器本体１１０の底部を打撃するように構成することもできる。
また、図１０に示すように、取っ手５０を設けず、打撃パーツ２６０Ｂを容器１０に設けて、打撃パーツ２６０Ｂを容器本体１１０の底部側面に向けてばね２８０Ｂで付勢しておき、操作部２１０Ｂをばね２８０Ｂの付勢力に抗して操作した後に、操作部２１０Ｂから手を離すことによって、打撃パーツ２６０Ｂで容器本体１１０の底部側面を打撃するように構成することもできる。
さらに、図１１の底面図に示すように、中間部が下側本体１１２に軸支持されたレバー状の打撃パーツ２６０Ｃを設けて、ねじりコイルばね２８０Ｃで、打撃パーツ２６０Ｃを下側本体１１２の底部側面に向けて付勢しておき、打撃パーツ２６０Ｃの操作部２１０Ｃをねじりコイルばね２８０Ｃの付勢力に抗して操作した後に、操作部２１０Ｃから手を離すことによって、打撃パーツ２６０Ｃで容器本体１１０の底部側面を打撃するように構成することもできる。
また、上記実施形態では、容器本体が円筒状の発泡飲料容器を説明したが、容器本体が円筒状の発泡飲料容器には限定されない。勿論、上側本体１１１及び下側本体１１２も円筒状のものに限定されない。
【符号の説明】
【００３９】
１００    発泡飲料容器
１１０    容器本体
２１０    操作レバー
２２０    上側スライダー
２３０    連係部材
２４０    下側スライダー
２５０    てこ部材
２６０    打撃パーツ
２７０    ばね
２８０    ばね
【図１】
0003174854.tif 000003
【図２】
0003174854.tif 000004
【図３】
0003174854.tif 000005
【図４】
0003174854.tif 000006
【図５】
0003174854.tif 000007
【図６】
0003174854.tif 000008
【図７】
0003174854.tif 000009
【図８】
0003174854.tif 000010
【図９】
0003174854.tif 000011
【図１０】
0003174854.tif 000012
【図１１】
0003174854.tif 000013